(57)【要約】【課題】低消費電力で、かつ機器の安全性を向上して信頼性を高くすること。【解決手段】第２のスイッチ１１が閉の状態にて、操作手段１５によって所定時間操作が行われず、かつ温度検知手段１３の検知温度が所定温度以下なので冷却ファン１４が非動作の場合には、制御手段１０は第２のスイッチ１１を自動的に開とすることによって、第１のスイッチ８の操作を忘れて機器の傍を離れた場合にも、自動的に第２のスイッチ１１を開とし加熱手段６への電力供給が遮断され、かつ、温度検知手段１３によって発熱部の温度を検知し、所定温度以下になるまでは第２のスイッチ１１は閉が保持されて冷却ファン１４が動作する。【選択図】図１
2006107897.tif 000002
【特許請求の範囲】
【請求項１】
加熱手段と、端子間を閉・開して前記加熱手段への商用電源の供給・遮断を制御する第２のスイッチと、前記第２のスイッチを開閉するために操作する第１のスイッチと、前記第１のスイッチからの操作信号を検知する信号検知手段と、機器の発熱部に取り付けられた温度検知手段と、前記温度検知手段の検知温度に応じて動作する保護手段と、前記信号検知手段からの検知信号に応じて前記第２のスイッチの開閉を制御する制御手段と、機器の動作設定を行う操作手段とを備え、前記第２のスイッチが閉において、連続して所定時間前記操作手段の操作が行われず、かつ、前記温度検知手段の検知温度が所定温度以下なので前記保護手段が非動作の場合には、前記制御手段は前記第２のスイッチを開とする構成とした誘導加熱調理器。
【請求項２】
温度検知手段は、加熱手段の構成部品で発熱部品でもあるパワースイッチング素子や共振コンデンサなどに取り付ける構成とした請求項１に記載の誘導加熱調理器。
【請求項３】
温度検知手段は、トッププレートなど加熱により高温になる機器外郭部に取り付ける構成とした請求項１に記載の誘導加熱調理器。
【請求項４】
保護手段は、発熱部品を空冷するための冷却ファンを有する構成とした請求項１〜３のいずれか１項に記載の誘導加熱調理器。
【請求項５】
保護手段は、温度検知手段の検知温度に応じて表示を行う高温表示手段を有する構成とした請求項１〜４のいずれか１項に記載の誘導加熱調理器。
【請求項６】
第２のスイッチが開となる場合に報知する報知手段を備えた請求項１〜５のいずれか１項に記載の誘導加熱調理器。
【発明の詳細な説明】
【技術分野】
【０００１】
本発明は、一般家庭及び業務用として使用される誘導加熱調理器に関するものである。
【背景技術】
【０００２】
従来、この種の誘導加熱調理器において、加熱手段は使用者によって操作可能な電源スイッチを介して商用電源に接続され、機器を使用しない場合には電源スイッチを操作することによって加熱手段への電源供給を遮断している（例えば、特許文献１参照）。
【０００３】
図３は特許文献１に記載された従来の誘導加熱調理器を示すものである。図３に示すように、加熱部２４の一方の入力端子は電源スイッチ２１を介して、他方の入力端子はヒューズ２８を介して商用電源２０に接続されている。加熱部４４は同様に電源スイッチ４１を介して、他方の入力端子はヒューズ４８を介して商用電源に接続される。電源スイッチ２１と電源スイッチ４１は機械的に連動するように構成され、１部品化（１スイッチ化）されている。また、制御部２５に制御用の平滑された直流電源を供給するためにスイッチング電源２６ａを有する電源回路２６が設けられており、電源回路２６のコモン電位は制御部２５のコモン電位と同一電位とし、電源回路２６の他の入力端子には整流器２２ａおよび整流器２２ｂからなる整流手段２２と整流手段３２のカソード側が接続される。整流器２２ａのアノードは電源スイッチ２１の負荷側端子に、整流器２２ｂのアノードはヒューズ２８の電源側端子に、整流手段３２のアノード側はリレー３１の一方の接点に接続される。リレー３１の他方の接点は電源スイッチ２１の電源側端子に接続される。また、リレー３１の制御端子は制御部２５に接続される。この構成により、電源スイッチ２１（または４１）を開いて加熱部２４と電源回路２６への電力供給を遮断した後、リレー３１を開いて電源回路２６への電力供給を遮断するようにして、加熱部２４への電力供給を遮断した後でも制御部２５によるファンモータ２７、４７の駆動、使用者への報知手段２５ｃ、４５ｃの動作などの制御を可能とし、かつ制御動作が不要となった時点で制御部２５への電力が断たれ、低消費電力で、かつ安価で信頼性の高い誘導加熱調理器が得られるというものである。
【特許文献１】特開２０００−２６２４０１号公報
【発明の開示】
【発明が解決しようとする課題】
【０００４】
しかしながら、前記従来の構成では、機器使用後に使用者が電源スイッチ２１（または４１）の操作を忘れて、そのまま機器の傍を離れてしまう場合がある。このとき電源スイッチ２１（または４１）は閉のままであり、加熱部２４および制御部２５への電力供給は継続して行われる。よって使用者が電源スイッチ２１（または４１）の操作に気付くまでは無駄な電力を消費することになるという課題を有していた。また、電源スイッチ２１（または４１）が閉、つまり加熱部２４への電力供給が行われる状態で、子供などが誤って機器を操作してしまった場合には危険であるという課題を有していた。
【０００５】
本発明は、前記従来の課題を解決するもので、第１のスイッチの操作を忘れて機器の傍を離れた場合にも、自動的に第２のスイッチを開として加熱手段への電力供給が遮断されるので、機器の誤操作による危険をなくすことができ、また無駄な電力消費をなくすことが可能になる。かつ温度検知手段によってパワースイッチング素子などの発熱部品やトッププレートなど機器外郭の発熱部の温度を検知し、所定温度以下になるまでは第２のスイッチの閉を保持して保護手段によって冷却を行うため、電子部品の破損をなくし、かつ安全な機器を提供することを目的とする。
【課題を解決するための手段】
【０００６】
前記従来の課題を解決するために、本発明の誘導加熱調理器は、加熱手段と、端子間を閉・開して前記加熱手段への商用電源の供給・遮断を制御する第２のスイッチと、前記第２のスイッチを開閉するために操作する第１のスイッチと、前記第１のスイッチからの操作信号を検知する信号検知手段と、機器の発熱部に取り付けられた温度検知手段と、前記温度検知手段の検知温度に応じて動作する保護手段と、前記信号検知手段からの検知信号に応じて前記第２のスイッチの開閉を制御する制御手段と、機器の動作設定を行う操作手段とを備え、前記第２のスイッチが閉において、連続して所定時間前記操作手段の操作が行われず、かつ、前記温度検知手段の検知温度が所定温度以下なので前記保護手段が非動作の場合には、前記制御手段は前記第２のスイッチを開とする構成としたものである。
【０００７】
これによって、第１のスイッチの操作を忘れて機器の傍を離れた場合にも、自動的に第２のスイッチを開として加熱手段への電力供給が遮断されるので、機器の誤操作による危険をなくすことができ、また無駄な電力消費をなくすことが可能になる。かつ温度検知手段によって発熱部の温度を検知し、所定温度以下になるまでは第２のスイッチは閉が保持されて保護手段が動作するため、信頼性の高い誘導加熱調理器を提供することが可能となる。
【発明の効果】
【０００８】
本発明の誘導加熱調理器は、低消費電力で、かつ機器の安全性を向上した信頼性の高い誘導加熱調理器を提供することができる。
【発明を実施するための最良の形態】
【０００９】
第１の発明は、加熱手段と、端子間を閉・開して前記加熱手段への商用電源の供給・遮断を制御する第２のスイッチと、前記第２のスイッチを開閉するために操作する第１のスイッチと、前記第１のスイッチからの操作信号を検知する信号検知手段と、機器の発熱部に取り付けられた温度検知手段と、前記温度検知手段の検知温度に応じて動作する保護手段と、前記信号検知手段からの検知信号に応じて前記第２のスイッチの開閉を制御する制御手段と、機器の動作設定を行う操作手段とを備え、前記第２のスイッチが閉において、連続して所定時間前記操作手段の操作が行われず、かつ、前記温度検知手段の検知温度が所定温度以下なので前記保護手段が非動作の場合には、前記制御手段は前記第２のスイッチを開とする構成とすることにより、第１のスイッチの操作を忘れて機器の傍を離れた場合にも、自動的に第２のスイッチを開として加熱手段への電力供給が遮断されるので、機器の誤操作による危険をなくすことができ、また無駄な電力消費をなくすことが可能になる。かつ温度検知手段によって発熱部の温度を検知し、所定温度以下になるまでは第２のスイッチは閉が保持されて保護手段が動作するため、信頼性の高い誘導加熱調理器を提供することができる。
【００１０】
第２の発明は、特に、第１の発明の温度検知手段を、加熱手段の構成部品で発熱部品でもあるパワースイッチング素子や共振コンデンサなどに取り付ける構成とすることにより、温度検知手段によって発熱部品の温度を検知して、検知温度に応じて保護手段を動作させるため、発熱部品の破壊を防止することができる。
【００１１】
第３の発明は、特に、第１の発明の温度検知手段を、トッププレートなど加熱により高温になる機器外郭部に取り付ける構成とすることにより、温度検知手段によってトッププレートなど使用時には高温となり、かつ容易に触れることができる部位の温度を検知して、検知温度に応じて保護手段を動作させるため、火傷などの災害を防止し、安全な誘導加熱調理器を提供することができる。
【００１２】
第４の発明は、特に、第１〜３のいずれか１つの発明の保護手段を、発熱部品を空冷するための冷却ファンを有する構成とすることにより、パワースイッチング素子や共振コンデンサなどの発熱部品の温度が所定以下になるまでは保護手段である冷却ファンによって空冷が継続されるため、発熱部品の破壊を防止することができる。
【００１３】
第５の発明は、特に、第１〜４のいずれか１つの発明の保護手段を、温度検知手段の検知温度に応じて表示を行う高温表示手段を有する構成とすることにより、トッププレートなど使用時には高温となり、かつ容易に触れることができる部位の温度が所定以下になるまでは保護手段である高温表示手段によって使用者に報知するため、火傷などの災害を防止し、安全な誘導加熱調理器を提供することができる。
【００１４】
第６の発明は、特に、第１〜５のいずれか１つの発明を、第２のスイッチが開となる場合に報知する報知手段を備えるとすることにより、所定時間操作手段の操作が行われず、自動的に第２のスイッチが開となったことを使用者に報知するため、使用者が誤って機器の誤動作と判定する誤認識や、第２のスイッチが開の場合に誤って閉として使用する誤使用などを防止することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における誘導加熱調理器の構成図を示すものである。
【００１７】
図１において、鍋１、セラミック製のトッププレート２、トッププレート２の下方に設けた高周波電流を通電することにより高周波磁界を発生させる加熱コイル３、加熱コイル３と共振回路を形成する共振コンデンサ４や前記加熱コイル３への通電を制御するＩＧＢＴなどのパワースイッチング素子５などから構成される加熱手段６、加熱コイル３に高周波電流を供給するための駆動回路７は従来のものと同様である。加熱手段６の一方の入力端子は電源リレーなどの第２のスイッチ１１を介して商用電源１２に接続される。第１のスイッチ８は使用者が操作可能な、機器の電源をオンオフするためのオルタネイトスイッチであり、第１のスイッチ８の動作状態（小信号）は信号検知手段９によって検知され、その検知結果はマイクロコンピュータを有する制御手段１０に伝達される。第２のスイッチ１１の開閉は、信号検知手段９の検知結果に基づいて制御手段１０によって制御されている。つまり制御手段１０は、使用者の操作により、第１のスイッチ８が開であれば第２のスイッチ１１を開と、第１のスイッチ８が閉であれば第２のスイッチ１１を閉と制御する。サーミスタなどの温度検知手段１３は共振コンデンサ４やパワースイッチング素子５などの発熱部品に取り付けられている。この温度検知手段１３の検知温度結果も制御手段１０に伝達され、制御手段１０はこの検知温度に基づいて保護手段１４である小型の直流モータを用いた冷却ファン（保護手段）１４を動作させることによって、共振コンデンサ４やパワースイッチング素子５などの発熱部品を空冷する。加熱動作などの機器の動作設定は使用者による操作手段１５の操作によって行われ、制御手段１０と操作手段１５は互いに通信しているものである。なお、制御手段１０および操作手段１５は電源回路１６から供給される電源によって動作するものである。
【００１８】
以上のように構成された誘導加熱調理器について、以下その動作、作用を説明する。鍋１に対する誘導加熱動作は、従来の技術と同様であり、説明を省略する。使用者により調理を終了してから所定時間内、例えば１分間、操作手段１５の一切の機器に対する操作が行われなかったとする。このとき制御手段１０は温度検知手段１３の温度検知結果に基づいて以下の動作を実施する。まず、共振コンデンサ４やパワースイッチング素子５などの発熱部品の温度が所定温度以上、例えば４５℃以上、であると温度検知手段１３が検知した場合には、制御手段１０は、保護手段である冷却ファン１４の動作を継続させることによって、引き続き共振コンデンサ４やパワースイッチング素子５などの発熱部品の空冷を行う。このとき、制御手段１０は、第２のスイッチ１１の閉を継続させることによって、図１に示すとおり、引き続き冷却ファン１４を駆動させるための電源供給を継続させる。ここで、例えば、加熱手段のタイマー運転中の場合は、加熱が継続されるのでタイマー運転終了後に発熱部品の温度は降下する。続いて発熱部品の温度が所定温度未満、であると温度検知手段１３が検知した場合には、制御手段１０は、冷却ファン１４の動作を停止させて共振コンデンサ４やパワースイッチング素子５などの発熱部品の空冷を終了させる。その後、制御手段１０は、第２のスイッチ１１を開とする。第２のスイッチが開となることによって、加熱手段６への電力供給および冷却ファン１４を駆動させるための電源供給も同時に遮断されることになる。第１のスイッチ８はオルタネイトスイッチ、つまりスイッチの押→離の一連動作によって信号が交互に切り替わる構成のスイッチである。前述の第２のスイッチを開としたことによって制御手段１０は信号検知手段９の検知情報をリセットさせ、第１のスイッチ８が開であると認識させる。これによって、使用者により再度第１のスイッチ８が操作された場合には、信号検知手段９は第１のスイッチ８が開から閉に変更されたと検知するため、制御手段１０は、信号検知手段９のその検知情報に基づいて第２のスイッチ１１を閉として加熱を再開することを可能にする。
【００１９】
以上のように、本実施の形態においては、第２のスイッチが閉において、操作手段１５によって所定時間操作が行われず、かつ、温度検知手段１３の検知温度が所定温度未満であり、保護手段である冷却ファン１４が非動作の場合には、制御手段１０は第２のスイッチ１１を開とすることによって、第１のスイッチ８の操作を忘れて機器の傍を離れた場合にも、自動的に第２のスイッチ１１を開として加熱手段６への電力供給が遮断されるので、機器の誤操作による危険をなくすことができ、また無駄な電力消費をなくすことが可能になる。かつ、温度検知手段１３によって発熱部の温度を検知し、所定温度未満になるまでは第２のスイッチ１１は閉が保持されて冷却ファン１４が動作するため、信頼性の高い誘導加熱調理器を提供することが可能となる。
【００２０】
また、本実施の形態では、温度検知手段１３は、加熱手段６の構成部品であるパワースイッチング素子５や共振コンデンサ４などの発熱部品に取り付ける構成とすることにより、温度検知手段１３によって発熱部品の温度を検知して、検知温度に応じて保護手段である冷却ファン１４を動作させるため、発熱部品の破壊を防止することができる。
【００２１】
また、本実施の形態では、保護手段は、発熱部品を空冷するための冷却ファン１４とすることにより、パワースイッチング素子５や共振コンデンサ４などの発熱部品の温度が所定以下になるまでは冷却ファン１４によって空冷が継続されるため、発熱部品の破壊を防止することができる。
【００２２】
なお、本実施の形態においては、加熱手段６の構成部品の中で最も温度条件が厳しいパワースイッチング素子５または共振コンデンサ４の温度を温度検知手段１３によって検知したが、特にこれらに限るものではなく、例えば加熱手段６を構成するその他のコンデンサ、チョークコイル、整流器などに取り付け、その温度を検知させるようにして所定温度を設定しても同等の効果が得られることは言うまでもない。
【００２３】
（実施の形態２）
図２は、本発明の第２の実施の形態における誘導加熱調理器の構成図を示すものである。構成については実施の形態１とほぼ同様であり、ここでは補足のみ説明を記載することとする。図２において、サーミスタなどの温度検知手段１３はトッププレート２など使用時に高温となり、かつ使用者が容易に触れることができる部位に取り付けられる。実施の形態１と同様に、この温度検知手段１３の検知温度結果は制御手段１０に伝達され、制御手段１０はこの検知温度に基づいて保護手段１４を動作させる。本実施の形態において保護手段は、温度検知手段１３の検知温度に応じて表示を行う高温表示手段１８とする。また、操作手段１５には、ブザー等の報知手段１７を備えるものとする。
【００２４】
以上のように構成された誘導加熱調理器について、以下その動作、作用を説明する。実施の形態１と同様に、使用者が調理を終了してから所定時間内、例えば１分間、操作手段１５によって一切の機器の操作が行われなかった場合には、制御手段１０は温度検知手段１３の温度検知結果に基づいて以下の動作を実施する。まず、トッププレート２の温度が所定温度以上、例えば７０℃以上、であると温度検知手段１３が検知した場合には、制御手段１０は、保護手段である高温表示手段１８の動作を継続させることによって、引き続きトッププレート２表面が高温であることを使用者に報知して警告する。続いてトッププレート２の温度が所定温度未満であると温度検知手段１３が検知した場合には、制御手段１０は、高温表示手段１８の動作を停止させて使用者への報知を終了させ、同時に制御手段１０は、第２のスイッチ１１を開とする。このとき操作手段１５は、制御手段１０との通信によって第２のスイッチ１１が開と伝達された場合には、報知手段１７によって使用者に自動的に電源の接続をオフしたことを報知する。
【００２５】
以上のように、本実施の形態においては、温度検知手段１３を、トッププレート２など機器外郭に取り付ける構成とすることにより、温度検知手段１３によってトッププレート２など使用時には高温となり、かつ、容易に触れることができる部位の温度を検知して、検知温度に応じて保護手段である高温表示手段１８を動作させて使用者に報知するため、火傷などの災害を防止し、安全な誘導加熱調理器を提供することができる。
【００２６】
また、本実施の形態では、保護手段は、温度検知手段１３の検知温度に応じて表示を行う高温表示手段１８とすることにより、トッププレート２など使用時には高温となり、かつ、容易に触れることができる部位の温度が所定未満になるまでは高温表示手段１８によって使用者に報知するため、火傷などの災害を防止し、安全な誘導加熱調理器を提供することができる。
【００２７】
また、本実施の形態では、第２のスイッチ１１が開となる場合に報知する報知手段１７を備えることにより、所定時間操作が行われず、自動的に第２のスイッチ１１が開となったことを使用者に報知するため、使用者の機器の誤動作との誤認識や、第２のスイッチ１１が開の場合での誤使用などを防止することができる。
【００２８】
なお、本実施の形態においては、機器使用時および使用後において機器外郭で最も高温となり使用者に危険の及びやすいトッププレート２の温度を温度検知手段１３によって検知したが、特にこれらに限るものではなく、他の高温に至りやすい箇所であっても同等の効果が得られることは言うまでもない。
【産業上の利用可能性】
【００２９】
以上のように、本発明にかかる誘導加熱調理器は、機器の操作を忘れて傍を離れた場合にも、自動的に加熱手段への電力供給が遮断されるので、機器の誤操作による危険をなくすことができ、また無駄な電力消費をなくすことが可能になるため、特に低消費電力を実現する必要のある誘導加熱機器などの用途にも適用できる。
【図面の簡単な説明】
【００３０】
【図１】本発明の実施の形態１における誘導加熱調理器の構成図
【図２】本発明の実施の形態２における誘導加熱調理器の構成図
【図３】従来の誘導加熱調理器の構成図
【符号の説明】
【００３１】
６  加熱手段
８  第１のスイッチ
９  信号検知手段
１０  制御手段
１１  第２のスイッチ
１２  商用電源
１３  温度検知手段
１４  冷却ファン（保護手段）
１５  操作手段
１７  報知手段
１８  高温表示手段（保護手段）
【図１】
2006107897.tif 000003
【図２】
2006107897.tif 000004
【図３】
2006107897.tif 000005